(57)【要約】【課題】発光部を均一に冷却することができる光源装置を提供する。【解決手段】光源装置１００は、筐体１０と、ＬＥＤ基板３０と、ヒートシンク５０と、排気口１３と、軸流ファン７０と、遮蔽偏向板８０と、を備える。筐体１０は、前端面１０ａ、後端面１０ｂ及び上面１０ｃを有する。ＬＥＤ基板３０は、筐体１０内の前端面１０ａ側に設けられている。ヒートシンク５０は、筐体１０内に設けられ、ＬＥＤ基板３０に熱的に接続されている。排気口１３は、上面１０ｃにおけるヒートシンク５０に対向する領域に少なくとも形成されている。軸流ファン７０は、筐体１０内に設けられ、ヒートシンク５０に冷却風を供給する。遮蔽偏向板８０は、軸流ファン７０とヒートシンク５０との間に設けられ、軸流ファン７０から供給された冷却風の一部を遮蔽すると共に排気口１３から離れる方向へ偏向させる。【選択図】図５
2019153375.tif 000002
【特許請求の範囲】
【請求項１】
一端面、他端面、及び前記一端面と前記他端面との間の一側面を有する筐体と、
前記筐体内の前記一端面側に設けられた発光部と、
前記筐体内に設けられ、前記発光部に熱的に接続された放熱部と、
前記一側面における前記放熱部に対向する領域に少なくとも形成された排気口と、
前記筐体内に設けられ、前記放熱部に冷却風を供給する軸流ファンと、
前記軸流ファンと前記放熱部との間に設けられ、前記軸流ファンから供給された前記冷却風の一部を遮蔽すると共に前記排気口から離れる方向へ偏向させる遮蔽偏向板と、を備える、光源装置。
【請求項２】
前記遮蔽偏向板は、前記軸流ファンの軸方向に対して非平行となる角度で延びるように配置されている、請求項１に記載の光源装置。
【請求項３】
前記遮蔽偏向板は、前記一端面側に向かう前記冷却風の向きを、前記一側面に対向する他側面側に偏向させる角度で配置されている、請求項２に記載の光源装置。
【請求項４】
前記軸流ファンは、ハブと前記ハブの周囲に設けられた複数の羽根とを含むインペラを有し、
前記遮蔽偏向板は、前記軸流ファンの軸方向から見て、前記軸流ファンにおける前記排気口側を覆うように配置され、且つ、前記羽根の基端から先端までの長さに対応する幅を有する、請求項１〜３の何れか一項に記載の光源装置。
【請求項５】
前記遮蔽偏向板は、前記軸流ファンの前記一端面側に取り付けられた取付板から延在するように設けられている、請求項１〜４の何れか一項に記載の光源装置。
【請求項６】
前記軸流ファンは、固定板に固定され、
前記取付板は、前記固定板と協働して前記軸流ファンを挟持する、請求項５に記載の光源装置。
【請求項７】
前記軸流ファンは、前記筐体内に並設され、
一の前記遮蔽偏向板は、複数の前記軸流ファンと前記放熱部との間に設けられ、複数の前記軸流ファンから供給された前記冷却風の一部を遮蔽すると共に前記排気口から離れる方向へ偏向させる、請求項１〜６の何れか一項に記載の光源装置。
【請求項８】
前記排気口は、前記筐体の前記一側面における前記放熱部に対向する領域のうち、前記一端面側以外の領域に形成されている、請求項１〜７の何れか一項に記載の光源装置。
【請求項９】
前記一側面における前記排気口の周辺から前記筐体内の前記一端面側に向かって延び、前記一側面に対して傾斜する整流板を備える、請求項１〜８の何れか一項に記載の光源装置。
【請求項１０】
前記排気口は、前記一側面に形成された孔であって、当該一側面にハニカム状に配列されている、請求項１〜９の何れか一項に記載の光源装置。
【請求項１１】
前記軸流ファンは、前記放熱部との間の距離が前記他端面との間の距離以下となる位置に配置されている、請求項１〜１０の何れか一項に記載の光源装置。
【発明の詳細な説明】
【技術分野】
【０００１】
本発明は、光源装置に関する。
【背景技術】
【０００２】
従来の光源装置に関する技術として、例えば特許文献１には、発光素子アレイ（発光部）と、発光素子アレイに熱的に結合したヒートシンク（放熱部）と、発光素子アレイを含む筐体と、筐体に設けられた複数の熱放出口と、を備えた照明モジュールが記載されている。特許文献１に記載された照明モジュールでは、発光素子アレイの熱がヒートシンクによって放散され、この熱を含む空気が熱放出口を通して筐体外へ排出される。
【先行技術文献】
【特許文献】
【０００３】
【特許文献１】特表２０１６−５３１７３２号公報
【発明の概要】
【発明が解決しようとする課題】
【０００４】
上述した光源装置では、前述のように、放熱部によって発光部の熱が放散されて発光部が冷却されるが、当該発光部を均一に冷却する上で未だ改善の余地がある。例えば発光部を均一に冷却できないと、熱の影響で発光部の発光効率が不均一となり、ひいては、照射強度が不均一となる場合がある。
【０００５】
そこで、本発明は、発光部を均一に冷却することができる光源装置を提供することを課題とする。
【課題を解決するための手段】
【０００６】
本発明に係る光源装置は、一端面、他端面、及び一端面と他端面との間の一側面を有する筐体と、筐体内の一端面側に設けられた発光部と、筐体内に設けられ、発光部に熱的に接続された放熱部と、一側面における放熱部に対向する領域に少なくとも形成された排気口と、筐体内に設けられ、放熱部に冷却風を供給する軸流ファンと、軸流ファンと放熱部との間に設けられ、軸流ファンから供給された冷却風の一部を遮蔽すると共に排気口から離れる方向へ偏向させる遮蔽偏向板と、を備える。
【０００７】
この光源装置では、放熱部に軸流ファンから冷却風が供給され、発光部の熱が放熱部により放散される。当該熱を含む冷却風は、筐体の一側面における放熱部に対向する領域の排気口から排気される。このとき、遮蔽偏向板により、放熱部に供給された冷却風がすぐに排気口へ向かって流れるのを抑え、放熱部の全体に冷却風を行き渡らせることができる。したがって、本発明によれば、発光部を均一に冷却することが可能となる。
【０００８】
本発明に係る光源装置では、遮蔽偏向板は、軸流ファンの軸方向に対して非平行となる角度で延びるように配置されていてもよい。これにより、遮蔽偏向板による冷却風の一部の遮蔽及び偏向を効果的に実現できる。
【０００９】
本発明に係る光源装置では、遮蔽偏向板は、一端面側に向かう冷却風の向きを、一側面に対向する他側面側に偏向させる角度で配置されていてもよい。これにより、放熱部の全体に十分に冷却風を行き渡らせることができる。
【００１０】
本発明に係る光源装置では、軸流ファンは、ハブとハブの周囲に設けられた複数の羽根とを含むインペラを有し、遮蔽偏向板は、軸流ファンの軸方向から見て、軸流ファンにおける排気口側を覆うように配置され、且つ、羽根の基端から先端までの長さ以上の幅を有していてもよい。これにより、遮蔽偏向板による冷却風の一部の遮蔽及び偏向を効果的に実現できる。
【００１１】
本発明に係る光源装置では、遮蔽偏向板は、軸流ファンの一端面側に取り付けられた取付板から延在するように設けられていてもよい。これにより、軸流ファンを利用して、軸流ファンと放熱部との間に遮蔽偏向板を取り付けることができる。
【００１２】
本発明に係る光源装置では、軸流ファンは、固定板に固定され、取付板は、固定板と協働して軸流ファンを挟持してもよい。これにより、取付板ひいては遮蔽偏向板をしっかりと取り付けることができる。
【００１３】
本発明に係る光源装置では、軸流ファンは、筐体内に並設され、一の遮蔽偏向板は、複数の軸流ファンと放熱部との間に設けられ、複数の軸流ファンから供給された冷却風の一部を遮蔽すると共に排気口から離れる方向へ偏向させてもよい。これにより、軸流ファンの振動の影響で遮蔽偏向板が共振することを抑制できる。
【００１４】
本発明に係る光源装置では、排気口は、筐体の一側面における放熱部に対向する領域のうち、一端面側以外の領域に形成されていてもよい。これにより、排気口を介して筐体外へ排気された排気の向きを、他端面側へ向けることが可能となる。
【００１５】
本発明に係る光源装置は、一側面における排気口の周辺から筐体内の一端面側に向かって延び、一側面に対して傾斜する整流板を備えていてもよい。これにより、排気口を介して筐体外へ排気された排気の向きを、他端面側へ向けることが可能となる。
【００１６】
本発明に係る光源装置では、排気口は、一側面に形成された孔であって、当該一側面にハニカム状に配列されていてもよい。これにより、排気口を多孔とする場合において、高い剛性を維持しつつ高い開口率を得ることができる。
【００１７】
本発明に係る光源装置では、軸流ファンは、放熱部との間の距離が他端面との間の距離以下となる位置に配置されていてもよい。この場合、例えば筐体内の他端面側に軸流ファンが配置されている場合に比べて、放熱部に供給された冷却風の静圧を高め、遮蔽偏向板による冷却風の一部の偏向を確実に実現できる。
【発明の効果】
【００１８】
本発明によれば、発光部を均一に冷却することができる光源装置を提供することが可能となる。発光部を均一に冷却することで、照射強度を均一にすることが可能となる。
【図面の簡単な説明】
【００１９】
【図１】一実施形態に係る光源装置を示す斜視図である。
【図２】図１の光源装置の筐体内を示す斜視図である。
【図３】図１の光源装置における前側を拡大して示す平面図である。
【図４】図１の光源装置の筐体内における前側を拡大して示す平面図である。
【図５】図３のＶ−Ｖ線に沿う拡大断面図である。
【図６】図１の光源装置の遮蔽偏向板及び取付板を示す斜視図である。
【図７】図１の光源装置の遮蔽偏向板及び取付板を示す正面図である。
【図８】（ａ）は、比較例に係る光源装置のエアの流れを説明する概略断面図である。（ｂ）は図１の光源装置のエアの流れを説明する概略断面図である。
【図９】図１の光源装置におけるエアの流れをシミュレートした結果示す断面図である。
【図１０】変形例に係る光源装置における前側を拡大して示す断面図である。
【発明を実施するための形態】
【００２０】
以下、本発明の実施形態について、図面を参照して詳細に説明する。以下において、同一又は相当要素には同一符号を付し、重複する説明を省略する。
【００２１】
図１〜図４に示されるように、光源装置１００は、例えば印刷用途向けの高出力の空冷ＬＥＤ光源である。光源装置１００は、例えばＵＶ印刷装置（ＵＶプリンタ）に搭載される光源ユニットとして用いることができる。光源装置１００は、紫外光等の光を照射し、例えばインクの乾燥等を行う。光源装置１００は、筐体１０、ＬＥＤ基板３０、ヒートシンク５０、軸流ファン７０、遮蔽偏向板８０及びドライバ基板９０を備える。
【００２２】
なお、説明の便宜上、ＬＥＤ基板３０のＬＥＤ素子３２（図５参照）が光を出射する側を「前側」とし、その反対側を「後側」として説明する。光源装置１００の幅方向（筐体１０の長手方向）であって当該ＬＥＤ素子３２の光出射方向と直交する方向を「左右方向」とし、前後方向及び左右方向と直交する方向を「上下方向」として説明する。
【００２３】
筐体１０は、左右方向に長尺状の矩形箱体である。筐体１０は、金属で形成されている。筐体１０は、ＬＥＤ基板３０、ヒートシンク５０、軸流ファン７０及びドライバ基板９０を収容する。筐体１０は、前側の端面である前端面（一端面）１０ａ、後側の端面である後端面（他端面）１０ｂ、前端面１０ａと後端面１０ｂとの間における上側の側面である上面（一側面）１０ｃ、及び、前端面１０ａと後端面１０ｂとの間における下側の側面である下面（他側面）１０ｄを有する。
【００２４】
筐体１０の前端面１０ａには、ＬＥＤ基板３０のＬＥＤ素子３２で出射した光を透過させる出射窓部１１が設けられている。筐体１０の後端面１０ｂには、外部から筐体１０内にエアを吸い込む吸気口１２が設けられている。吸気口１２には、例えばウレタン等で形成されたフィルタが取り付けられている。
【００２５】
筐体１０の上面１０ｃには、筐体１０内から外部へエアを排出する排気口１３が設けられている。排気口１３は、上面１０ｃに形成され筐体１０の内外を連通させる孔である。排気口１３は、六角形状に形成されている。排気口１３は、上面１０ｃにハニカム状に配列されている。
【００２６】
排気口１３は、上面１０ｃにおけるヒートシンク５０に対向する領域に少なくとも形成されている。具体的には、排気口１３は、上面１０ｃにおけるヒートシンク５０に対向する領域のうちの前側以外（ここでは前側半分以外）に形成されている。つまり、上面１０ｃにおけるヒートシンク５０に対向する領域のうちの後側（ここでは後側半分）に少なくとも形成されている。対向する領域とは、換言すると、ヒートシンク５０と向かい合わせになっている領域、対面する領域、又は、上方から見てヒートシンク５０と重なる領域である。排気口１３は、上面１０ｃを上方から見て、ヒートシンク５０の後側の半分を少なくとも露出させる一方、ヒートシンク５０の前側の半分は露出させない。
【００２７】
図示する例では、複数の排気口１３は、複数の軸流ファン７０毎に分かれている。つまり、上面１０ｃには、ハニカム状に排気口１３が接近して配列されてなる複数の排気口グループＧが形成されている。排気口グループＧは、左右方向においては、一の軸流ファン７０を含む範囲であって当該一の軸流ファン７０よりも広い範囲に配されている。排気口グループＧは、前後方向においては、ヒートシンク５０の中央から当該一の軸流ファン７０の前端部に亘る範囲に配されている。
【００２８】
図４及び図５に示されるように、ＬＥＤ基板３０は、筐体１０内の前端面１０ａ側に設けられた発光部である。ＬＥＤ基板３０は、所定回路を構成する矩形平板状の基板３１と、基板３１上において上下方向及び左右方向に所定ピッチで並設された発光素子であるＬＥＤ素子３２と、を含む。ＬＥＤ素子３２は、紫外光等の光を前方へ向けて出射する。ＬＥＤ基板３０は、左右方向において、複数に分かれて構成されていてもよいし、一体で構成されていてもよい。ＬＥＤ基板３０は、筐体１０内の左端から右端に亘る領域に延在する。
【００２９】
ＬＥＤ基板３０は、ＬＥＤ素子３２が前端面１０ａの出射窓部１１と対向するように筐体１０内の前側に配置されている。ＬＥＤ基板３０の各ＬＥＤ素子３２から出射された光は、出射窓部１１を介して被照射物に照射される。被照射物としては、例えば光（ＵＶ光）硬化型のインク又は接着剤が付着している物体が挙げられる。
【００３０】
ヒートシンク５０は、ＬＥＤ基板３０に熱的に接続された放熱部である。ヒートシンク５０は、筐体１０内におけるＬＥＤ基板３０の後側に設けられている。ヒートシンク５０は、筐体１０内の左端から右端に亘る領域に延在する。ヒートシンク５０は、ＬＥＤ基板３０の後側（ここでは、基板３１の後面）に当接されたベース５１と、ベース５１の後側に立設された複数の放熱フィン５２と、を有する。
【００３１】
ベース５１は、左右方向に長尺の矩形ブロック状を呈する。放熱フィン５２は、左右方向を厚さ方向とし且つ前後方向に長尺の矩形平板状を呈する。放熱フィン５２は、左右方向において隙間をあけて積層するように並べられている。そして、積層するように並べられた複数の放熱フィン５２からなるフィン群は、上下方向に複数段（図示する例では３段）設けられている。
【００３２】
軸流ファン７０は、その軸方向を前後方向とし、後側からエアを吸い込んで前側に冷却風として圧送する。軸流ファン７０は、筐体１０内に設けられ、ヒートシンク５０に冷却風を供給する。軸流ファン７０は、ヒートシンク５０の後側に配置されている。具体的には、軸流ファン７０は、ヒートシンク５０との間の距離が筐体１０の後端面１０ｂとの間の距離以下となる位置に配置されている。ここでの軸流ファン７０は、ヒートシンク５０の後側に近接する位置（僅かな隙間をあけた位置）に配置されている。軸流ファン７０は、ヒートシンク５０の放熱フィン５２の後側から前側に向かって冷却風を送り込む。
【００３３】
軸流ファン７０は、複数（ここでは２つ）用いられている。軸流ファン７０は、筐体１０内の左右方向に沿って並設されている。図示する例では、複数の軸流ファン７０は、左右方向における中央部よりも左側の位置と、中央部よりも右側の位置と、のそれぞれに配されている。軸流ファン７０の後側（後面）は、固定板７１に当接され、当該固定板７１にねじシャフトＳにより固定されている。固定板７１は、左右方向から見てＬ字状を有する。固定板７１は、筐体１０の上面１０ｃ及び下面１０ｄに固定されている。これにより、軸流ファン７０は、固定板７１を介して筐体１０に固定されている。
【００３４】
図７に示されるように、軸流ファン７０は、モータ（不図示）の駆動力により回転するインペラ７２を有する。インペラ７２は、回転軸部であるハブ７３と、ハブ７３の周囲に設けられた複数の羽根７４と、を含む。なお、軸流ファン７０としては、その種類、形状、大きさ、形式及び仕様等は特に限定されず、公知の種々の軸流ファンを用いることができる。
【００３５】
図５〜図７に示されるように、遮蔽偏向板８０は、軸流ファン７０とヒートシンク５０との間に設けられている。遮蔽偏向板８０は、軸流ファン７０から供給された冷却風の一部を遮蔽すると共に、排気口１３から離れる方向である下方へ偏向させる。遮蔽偏向板８０は、軸流ファン７０の軸方向に対して非平行となる（交差する）角度で延びるように配置されている。遮蔽偏向板８０は、前側に向かう冷却風の向きを下面１０ｄ側に偏向させる角度で配置されている。遮蔽偏向板８０は、左右方向に真っ直ぐ延び、且つ、前後方向及び上下方向に対して交差するように延びる。遮蔽偏向板８０は、左右方向から見て、下方に行くに連れて前側に位置するように上下方向に対して傾斜している。一例として、遮蔽偏向板８０が傾斜する角度は、遮蔽偏向板８０の下端を仮想的に延長した場合に、前後方向におけるヒートシンク５０の中央部付近で下面１０ｄと交差する角度である。
【００３６】
遮蔽偏向板８０は、前方から見て、軸流ファン７０における上側の一部を覆うように配置されている。遮蔽偏向板８０は、左右方向を長手方向とする矩形平板状を呈する。遮蔽偏向板８０は、前方から見て、羽根７４の基端から先端までの長さ（１枚の羽根７４の径方向の寸法）以上の上下幅を有する。つまり、遮蔽偏向板８０は、少なくとも１枚の羽根７４が隠れ得る上下幅を有する。ここでの遮蔽偏向板８０は、前方から見て、羽根７４の基端から先端までの長さに対応する上下幅を有する。
【００３７】
遮蔽偏向板８０は、軸流ファン７０の前側に取り付けられた取付板８１から延在するように設けられている。取付板８１は、前後方向を厚さ方向とする平板状を呈する。取付板８１には、複数の軸流ファン７０の各送気口に対応する複数の開口８２が形成されている。取付板８１は、複数の軸流ファン７０に対して単一で設けられており、複数の軸流ファン７０の前面における送気口以外の領域に当接され、各軸流ファン７０にねじシャフトＳにより固定されている。取付板８１は、ねじシャフトＳを締結することで、固定板７１と協働して軸流ファン７０を前後に挟持する。
【００３８】
遮蔽偏向板８０は、取付板８１の上端に連続し、上端から前側に曲がるように延びた後、下方に行くに連れて前側に位置するように傾斜して延びる。遮蔽偏向板８０の下端は、ヒートシンク５０に対して接触する位置、略接触する位置、寸法公差だけ離れた位置、又は僅かに離れた位置に位置する。遮蔽偏向板８０には、ねじシャフトＳとの干渉を避けるための貫通孔８３が形成されている。
【００３９】
遮蔽偏向板８０は、複数の軸流ファン７０に対して単一で設けられている。つまり、一の遮蔽偏向板８０は、複数の軸流ファン７０とヒートシンク５０との間に設けられており、複数の軸流ファン７０から供給された冷却風の一部を遮蔽すると共に排気口から離れる方向へ偏向させる。
【００４０】
ドライバ基板９０は、光源装置１００を駆動するための駆動用の電気回路基板である。
ドライバ基板９０は、筐体１０内における軸流ファン７０よりも後側に設けられている。ドライバ基板９０は、その主面が前後方向に沿うように配置されている。
【００４１】
以上に説明した光源装置１００においては、後端面１０ｂの吸気口１２を介して筐体１０内にエアが流入される。流入されたエアは、筐体１０内において、軸流ファン７０によって前側へ送気され、ヒートシンク５０の後側から冷却風として供給される。ヒートシンク５０では、ＬＥＤ基板３０の熱が冷却風に放散させられる。そして、当該熱を含む冷却風は、排気口１３を介して筐体１０外へと排気される。
【００４２】
図８（ａ）は、比較例に係る光源装置２００のエアの流れを説明する概略断面図である。図８（ｂ）は、光源装置１００のエアの流れを説明する概略断面図である。比較例に係る光源装置２００は、遮蔽偏向板８０を備えていない点で光源装置１００と異なっている。軸流ファン７０は、供給した冷却風が径方向外側に拡がるという特性を有する。そのため、図８（ａ）の光源装置２００にて示されるように、軸流ファン７０から供給された冷却風は、排気口１３にすぐ流れてしまいやすく、ヒートシンク５０全体には当たりにくい。
【００４３】
これに対し、図８（ｂ）に示されるように、光源装置１００では、遮蔽偏向板８０により、軸流ファン７０から供給された冷却風の一部を遮蔽すると共に排気口１３から離れる方向へ偏向させる。これにより、軸流ファン７０から供給された冷却風の拡がりを抑え、ヒートシンク５０に供給された冷却風がすぐに排気口１３へ向かって流れるのを抑えることができる。具体的には、図示されるように、軸流ファン７０から供給された冷却風のうちの上側の一部を、下側へと回り込ませ後に、排気口１３へ向かって流通させることができる。その結果、ヒートシンク５０の全体に冷却風を行き渡らせることができる。したがって、光源装置１００によれば、ＬＥＤ基板３０を均一に冷却することが可能となる。軸流ファン７０から供給された冷却風を余すところなくヒートシンク５０に当て、冷却効率を向上させることが可能となる。また、光源装置１００では、ＬＥＤ基板３０を均一に冷却することで、ＬＥＤ基板３０の発光効率を均一化し、ひいては、ＬＥＤ基板３０の照射強度（紫外光照射強度）を均一化することが可能となる。特に、長尺（例えば１００ｍｍ以上）の光源装置１００において、均一な照射強度を実現するためには、ＬＥＤ基板３０の冷却均一化は特に有効である。
【００４４】
光源装置１００では、遮蔽偏向板８０は、軸流ファン７０の軸方向に対して非平行となる角度で延びるように配置されている。これにより、遮蔽偏向板８０による冷却風の一部の遮蔽及び偏向を効果的に実現することが可能となる。
【００４５】
光源装置１００では、遮蔽偏向板８０は、前側に向かう冷却風の向きを、下面１０ｄ側に偏向させる角度で配置されていてもよい。これにより、ヒートシンク５０の全体に十分に冷却風を行き渡らせることができる。
【００４６】
光源装置１００では、遮蔽偏向板８０は、前方から見て、軸流ファン７０の上側を覆うように配置され、且つ、軸流ファン７０のインペラ７２における羽根７４の基端から先端までの長さに対応する幅を有する。これにより、遮蔽偏向板８０による冷却風の一部の遮蔽及び偏向を効果的に実現できる。
【００４７】
光源装置１００では、遮蔽偏向板８０は、軸流ファン７０の前側に取り付けられた取付板８１から延在するように設けられていてもよい。これにより、軸流ファン７０を利用して、軸流ファン７０とヒートシンク５０との間に遮蔽偏向板８０を取り付けることができる。
【００４８】
光源装置１００では、軸流ファン７０は、固定板７１に固定されている。取付板８１は、固定板と協働して軸流ファン７０を挟持する。これにより、取付板８１ひいては遮蔽偏向板８０をしっかりと取り付けることができる。
【００４９】
光源装置１００では、軸流ファン７０は、筐体１０内に並設され、複数の軸流ファン７０とヒートシンク５０との間には、単一の遮蔽偏向板８０が設けられている。この単一の遮蔽偏向板８０が、複数の軸流ファン７０から供給された冷却風の一部を遮蔽及び偏向させる。これにより、軸流ファン７０の振動（例えばモータに起因する振動）の影響で遮蔽偏向板８０が共振することを抑制できる。
【００５０】
光源装置１００の排気口１３は、上面１０ｃにおけるヒートシンク５０に対向する領域においては、前側以外の領域に形成されている。これにより、排気口１３を介して筐体１０外へ排気された排気の向きをコントロールできる。すなわち、排気の向きを後側へ向けることが可能となる。また特に、図８（ａ）及び図８（ｂ）に示されるように、遮蔽偏向板８０が設けられていない場合（光源装置２００の場合）、冷却風は流れやすい方向に排気され、排気の向きが前側（照射面側）になりやすい。この点、光源装置１００では、冷却風がすぐに排気口１３へ向かって流れるのを遮蔽偏向板８０で抑制できることに併せて、排気の向きを後側へ向ける効果が顕著となっている。排気の向きを後例へ向けるダクト部品も不要となり、光源装置１００の小型化及び薄型化が可能となる。
【００５１】
光源装置１００では、排気口１３は、上面１０ｃに形成された孔であって、上面１０ｃにハニカム状に配列されている。これにより、排気口１３を多孔とする場合において、高い剛性を維持しつつ高い開口率を得ることができる。
【００５２】
光源装置１００では、軸流ファン７０は、ヒートシンク５０との間の距離が後端面１０ｂとの間の距離以下となる位置に配置されている。この場合、例えば筐体１０内の後端面１０ｂ側に軸流ファン７０が配置されている場合に比べて、ヒートシンク５０に供給された冷却風の静圧を高め、遮蔽偏向板８０による冷却風の一部の偏向を確実に実現することが可能となる。冷却風の静圧を高めることで、冷却効率を向上させることができると共に、排気の向きを後側へ向ける上記効果を確実に発揮できる。
【００５３】
図９は、光源装置１００におけるエアの流れをシミュレートした結果示す断面図である。図中で示される線は、エアの流れを示す流線である。図９に示されるように、光源装置１００によれば、ヒートシンク５０に供給された冷却風がすぐに排気口１３へ向かって流れるのを抑え得ることが確認できる。ヒートシンク５０の全体に冷却風を行き渡らせ得ることが確認できる。排気の向きを後側へ向けることができることを確認できる。
【００５４】
以上、本発明は、上記実施形態に限られるものではなく、各請求項に記載した要旨を変更しない範囲で変形し、又は他のものに適用したものであってもよい。
【００５５】
上記実施形態は、図１０に示されるように、上面１０ｃにおける排気口１３の周辺から筐体１０内の前側に向かって延びる整流板１５を備えていてもよい。整流板１５は、上面１０ｃに対して傾斜する。図示する例では、整流板１５は、複数の排気口１３のうちの少なくとも一部の辺縁に設けられた平板である。これにより、排気口１３を介して筐体１０外へ排気された排気の向きを、後側へ向けることが可能となる。
【００５６】
上記実施形態では、一の遮蔽偏向板８０を複数の軸流ファン７０とヒートシンク５０との間に設けたが、これに限定されない。遮蔽偏向板８０は、複数の軸流ファン７０のそれぞれで別々に設けてもよい。つまり、遮蔽偏向板８０は、例えば２つの軸流ファン７０が設けられている場合には、２つに分けて構成されていてもよい。
【００５７】
上記実施形態は、左右方向に長尺状のヒートシンク５０を１つ備えているが、これに限定されない。上記実施形態は、左右方向に並設された複数のヒートシンクを備えていてもよい。上記実施形態では、排気口１３の形状及び数は特に限定されず、種々の形状及び数であってもよい。上記実施形態では、上面１０ｃにおける排気口１３の位置は特に限定されず、排気口１３は、上面１０ｃにおけるヒートシンク５０に対向する領域に少なくとも形成されていればよい。
【００５８】
上記実施形態のヒートシンク５０では、左右方向に積層するように並べられた複数の放熱フィン５２からなるフィン群が、上下方向に複数段並ぶように設けられているが、ヒートシンク５０のフィン構造は特に限定されず、種々のフィン構造を採用できる。例えばヒートシンク５０では、１枚の板状の放熱フィンが左右方向に積層するように並べられていてもよい。つまり、左右方向に積層するように並べられた複数の放熱フィン５２からなるフィン群が上下方向に分かれていないフィン構造であってもよい。
【００５９】
上記実施形態では、発光部はＬＥＤ基板３０に特に限定されず、例えばＬＥＤ素子３２に代えて公知の発光素子を用いてもよい。上記実施形態では、放熱部はヒートシンク５０に特に限定されず、その他の種々の放熱部を用いてもよい。上記実施形態において、光源装置１００の用途は特に限定されず、接着剤の乾燥等に用いることもできる。
【符号の説明】
【００６０】
１０…筐体、１０ａ…前端面（一端面）、１０ｂ…後端面（他端面）、１０ｃ…上面（一側面）、１０ｄ…下面（他側面）、１３…排気口、１５…整流板、３０…ＬＥＤ基板（発光部）、５０…ヒートシンク（放熱部）、７０…軸流ファン、７１…固定板、７２…インペラ、７３…ハブ、７４…羽根、８０…遮蔽偏向板、８１…取付板、１００…光源装置。
【図１】
2019153375.tif 000003
【図２】
2019153375.tif 000004
【図３】
2019153375.tif 000005
【図４】
2019153375.tif 000006
【図５】
2019153375.tif 000007
【図６】
2019153375.tif 000008
【図７】
2019153375.tif 000009
【図８】
2019153375.tif 000010
【図９】
2019153375.tif 000011
【図１０】
2019153375.tif 000012